(57)【要約】【課題】衣類の発注者が製造者に伝達する体形情報の精度を向上させる。【解決手段】衣類受注管理装置１において、衣類情報取得部３０１は、発注者が選択した衣類を特定する衣類情報を取得する。体形情報取得部３０２は、衣類を着用する着用者の体形情報を取得する。評価取得部３０３は、衣類情報及び体形情報に基づいて製造された衣類について、当該衣類を着用した際のサイズに関する評価を取得する。体形情報修正部３０４は、評価に基づいて体形情報を修正する。【選択図】図２
2018142221.tif 000002
【特許請求の範囲】
【請求項１】
コンピュータに、
衣類を特定する衣類情報を取得する衣類情報取得機能と、
前記衣類を着用する着用者の体形情報を取得する体形情報取得機能と、
前記衣類情報及び前記体形情報に基づいて製造された前記衣類について、当該衣類を着用した際のサイズに関する評価を取得する評価取得機能と、
前記評価に基づいて前記体形情報を修正する体形情報修正機能と、
を実現させるプログラム。
【請求項２】
前記評価取得機能は、前記着用者の体の部位と、当該部位に対応する前記衣類の部位との大小関係に関する前記着用者の評価を取得する、
請求項１に記載のプログラム。
【請求項３】
前記体形情報修正機能は、
前記着用者が前記衣類のサイズが大きいと評価した場合、前記体形情報を元の値よりも小さくなるように修正し、
前記着用者が前記衣類のサイズが小さいと評価した場合、前記体形情報を元の値よりも大きくなるように修正する、
請求項２に記載のプログラム。
【請求項４】
前記コンピュータに、
前記体形情報に基づいて体形が変更される人物モデルを表示部に表示させる表示制御機能をさらに実現させ、
前記表示制御機能は、前記評価取得機能が前記評価を取得した後は、前記体形情報修正機能により修正された前記体形情報に基づく人物モデルを前記表示部に表示させる、
請求項１から３のいずれか一項に記載のプログラム。
【請求項５】
前記体形情報取得機能は、前記着用者の身長及び体重に関する情報を取得する、
請求項１から４のいずれか一項に記載のプログラム。
【請求項６】
前記体形情報取得機能は、前記着用者の骨格に関する情報をさらに取得する、
請求項５に記載のプログラム。
【請求項７】
前記体形情報取得機能は、前記着用者の体格のパターンを示す体型情報をさらに取得する、
請求項１から６のいずれか一項に記載のプログラム。
【請求項８】
発注者が選択した衣類を特定する衣類情報を取得する衣類情報取得部と、
前記衣類を着用する着用者の体形情報を取得する体形情報取得部と、
前記衣類情報及び前記体形情報に基づいて製造された前記衣類について、当該衣類を着用した際のサイズに関する評価を取得する評価取得部と、
前記評価に基づいて前記体形情報を修正する体形情報修正部と、
を備える衣類受注管理装置。
【請求項９】
プロセッサが、
発注者が選択した衣類を特定する衣類情報を取得するステップと、
前記衣類を着用する着用者の体形情報を取得するステップと、
前記衣類情報及び前記体形情報に基づいて製造された前記衣類について、当該衣類を着用した際のサイズに関する評価を取得するステップと、
前記評価に基づいて前記体形情報を修正するステップと、
を実行する情報処理方法。
【請求項１０】
請求項１から７のいずれか一項に記載のプログラムを格納した、コンピュータが読み出し可能な記録媒体。
【発明の詳細な説明】
【技術分野】
【０００１】
本発明は、衣類受注管理装置、情報処理方法、プログラム、及び記録媒体に関し、特に、オンラインで衣類を受注する技術に関する。
【背景技術】
【０００２】
従来、消費者の身体測定値を受信し、消費者の通常のサイズと衣類の製造者サイズとを比較して、消費者にフィットする可能性が最も高い衣類を選択する技術が開示されている。
【先行技術文献】
【特許文献】
【０００３】
【特許文献１】米国特許出願公開第２００６／２８７８７７号明細書
【発明の概要】
【発明が解決しようとする課題】
【０００４】
上記のような技術により、消費者は自身の身体のサイズに合った衣類を見つける可能性を高めることはできる。しかしながら、身体のサイズや形状は消費者によって様々であり、また衣類のサイズに関する好みも着用者によって様々である。このため、好みを含めたサイズに関する情報を一回で正確に衣類の製造者に伝えることは依然として困難である。
【０００５】
本発明はこれらの点に鑑みてなされたものであり、衣類の発注者が製造者に伝達する体形情報の精度を向上させる技術を提供することを目的とする。
【課題を解決するための手段】
【０００６】
本発明の第１の態様は、プログラムである。このプログラムは、コンピュータに、衣類を特定する衣類情報を取得する衣類情報取得機能と、前記衣類を着用する着用者の体形情報を取得する体形情報取得機能と、前記衣類情報及び前記体形情報に基づいて製造された前記衣類について、当該衣類を着用した際のサイズに関する評価を取得する評価取得機能と、前記評価に基づいて前記体形情報を修正する体形情報修正機能と、を実現させる。
【０００７】
前記評価取得機能は、前記着用者の体の部位と、当該部位に対応する前記衣類の部位との大小関係に関する前記着用者の評価を取得してもよい。
【０００８】
前記体形情報修正機能は、前記着用者が前記衣類のサイズが大きいと評価した場合、前記体形情報を元の値よりも小さくなるように修正してもよく、前記着用者が前記衣類のサイズが小さいと評価した場合、前記体形情報を元の値よりも大きくなるように修正してもよい。
【０００９】
前記プログラムは、前記コンピュータに、前記体形情報に基づいて体形が変更される人物モデルを表示部に表示させる表示制御機能をさらに実現させてもよく、前記表示制御機能は、前記評価取得機能が前記評価を取得した後は、前記体形情報修正機能により修正された前記体形情報に基づく人物モデルを前記表示部に表示させてもよい。
【００１０】
前記体形情報取得機能は、前記着用者の身長及び体重に関する情報を取得してもよい。
【００１１】
前記体形情報取得機能は、前記着用者の骨格に関する情報をさらに取得してもよい。
【００１２】
前記体形情報取得機能は、前記着用者の体格のパターンを示す体型情報をさらに取得してもよい。
【００１３】
本発明の第２の態様は、衣類受注管理装置である。この装置は、発注者が選択した衣類を特定する衣類情報を取得する衣類情報取得部と、前記衣類を着用する着用者の体形情報を取得する体形情報取得部と、前記衣類情報及び前記体形情報に基づいて製造された前記衣類について、当該衣類を着用した際のサイズに関する評価を取得する評価取得部と、前記評価に基づいて前記体形情報を修正する体形情報修正部と、を備える。
【００１４】
本発明の第３の態様は、プロセッサが実行する情報処理方法である。この方法は、プロセッサが、発注者が選択した衣類を特定する衣類情報を取得するステップと、前記衣類を着用する着用者の体形情報を取得するステップと、前記衣類情報及び前記体形情報に基づいて製造された前記衣類について、当該衣類を着用した際のサイズに関する評価を取得するステップと、前記評価に基づいて前記体形情報を修正するステップと、を実行する。
【００１５】
本発明の第４の態様は、コンピュータが読み出し可能な記録媒体である。この記録媒体は、上記のいずれかのプログラムを格納する。
【００１６】
なお、以上の構成要素の任意の組み合わせ、本発明の表現を方法、装置、システム、コンピュータプログラム、データ構造、記録媒体などの間で変換したものもまた、本発明の態様として有効である。
【発明の効果】
【００１７】
本発明によれば、衣類の発注者が製造者に伝達する体形情報の精度を向上させることができる。
【図面の簡単な説明】
【００１８】
【図１】実施の形態に係る衣類受注製造システムの概要を模式的に示す図である。
【図２】実施の形態に係る衣類受注管理装置の機能構成を模式的に示す図である。
【図３】実施の形態に係る通信端末が表示する衣類発注画面の一例を示す図である。
【図４】実施の形態に係る通信端末が表示する体形情報入力画面の一例を示す図である。
【図５】実施の形態に係る通信端末が表示する体型情報選択画面の一例を示す図である。
【図６】実施の形態に係る通信端末が表示する購入済アイテム選択画面の一例を示す図である。
【図７】実施の形態に係る通信端末が表示する評価入力画面の一例を示す図である。
【図８】実施の形態に係る通信端末が表示する評価完了画面の一例を示す図である。
【図９】実施の形態に係る衣類受注管理装置が実行する情報処理の流れを説明するためのフローチャートである。
【発明を実施するための形態】
【００１９】
＜実施の形態の概要＞
図１を参照して、実施の形態の概要を述べる。
図１は、実施の形態に係る衣類受注製造システムＳの概要を模式的に示す図である。衣類受注製造システムＳは、衣類受注管理装置１、無縫製編み機制御装置２、無縫製編み機３、プラント４、及び店舗５を含む。
【００２０】
衣類受注管理装置１は、インターネット等のネットワークを介して、発注者である複数のユーザＵそれぞれの通信端末Ｔと通信する。衣類受注管理装置１は、衣類受注管理装置１が扱う衣類のデザイナＤの情報端末とも通信可能な態様で接続している。衣類受注管理装置１はさらに、無縫製編み機制御装置２とも通信可能な態様で接続している。
【００２１】
衣類受注管理装置１は、ユーザＵの通信端末Ｔに対して、衣類のオーダーメイド機能を提供する。衣類受注管理装置１は、ユーザＵの通信端末Ｔから、ユーザＵが購入を希望する衣類を特定するための衣類情報と、その衣類の着用者の体形に関する体形情報とを取得する。ここで、着用者はユーザＵと同一であってもよいが、例えばユーザＵが家族や友人に衣類をプレゼントする場合など、自分以外の人に着用させる目的で衣類を発注する場合には、着用者がユーザＵと異なっていてもよい。
【００２２】
無縫製編み機制御装置２は、１以上の無縫製編み機３と通信可能であり、各無縫製編み機３の動作を制御する。無縫製編み機制御装置２は、衣類受注管理装置１から、ユーザＵが発注した衣類を製造するための製造情報を取得する。無縫製編み機制御装置２は、取得した衣類の製造情報に基づいて、その衣類を製造するために用いる無縫製編み機３を選択する。無縫製編み機制御装置２は次いで、選択した無縫製編み機３に製造情報を送信し、無縫製編み機３に衣類を製造させる。
【００２３】
無縫製編み機３は、プラント４において作られた構造タンパク質からなる繊維等を原料とし、無縫製編み機制御装置２から受信した製造情報に基づいて衣類を編み上げる装置である。無縫製編み機３は、衣類を一着丸ごと立体的に編み上げることができる。衣類の製造に無縫製編み機３を用いる場合には、衣類の各パーツを生地から切り取り縫製する工程（カット＆ソー）は基本的に不要となる。このため、無縫製編み機３で製造された衣類は、裁断によって捨てられる材料がなく、無駄が少ない。
【００２４】
また、図１において、店舗５は無縫製編み機３が製造した衣類をユーザＵに提供するための店舗である。店舗５の具体例は、クリーニング店、コンビニエンスストア、各種ショッピングセンターである。店舗５の別の例は、配送業者等の配送センターである。前者の例の場合、ユーザＵは店舗５の店頭に赴くことで衣類を受け取る。後者の場合、ユーザＵは自宅等の指定した場所に注文した衣類を配送させることができる。
【００２５】
ところで、一般に同一サイズの衣類であっても、製造者が異なればサイズ感が異なることが多い。また同一の製造者であっても、衣類のラインナップによってタイト気味に製造する製品と、ルーズに製造する製品とが存在することもある。したがって、衣類の発注者が、衣類の着用者の体形情報を詳細に伝えることができたとしても、衣類の着用者が一度は着用してみないことには、サイズを合わせることは困難である。
【００２６】
一方で、着用者が一度でも衣類を着用する機会が得られれば、着用している衣類をいわば「物差し」として、丈の長さや首回り、全体的なフィット感等を評価できる。製造者は製造した衣類のサイズを正確に把握しているため、製造者が着用者の評価を取得できれば、衣類のサイズを精度よく修正することができる。
【００２７】
実施の形態に係る衣類受注管理装置１は、着用者が衣類を実際に着用した際のサイズに関する評価を取得し、その評価に基づいて着用者の体形情報を修正する。すなわち、衣類受注管理装置１、製造した衣類のサイズに関するフィードバックを着用者から１回は取得し、その体形情報の精度を向上させる。これにより、衣類受注管理装置１は、ひとたび評価のフィードバックを受けた着用者に関しては、その着用者の体形及び好みに合致した衣類を製造することができる。なお、上記のサイズに関する評価は着用者自身が行ってもよいし、着用者以外の第三者（例えば、着用者が子供である場合には親等の保護者）が行ってもよい。
【００２８】
以下、衣類受注製造システムＳを構成する衣類受注管理装置１についてより詳細に説明する。
【００２９】
＜衣類受注管理装置１の機能構成＞
図２は、実施の形態に係る衣類受注管理装置１の機能構成を模式的に示す図である。実施の形態に係る衣類受注管理装置１は、例えばクラウドサーバ等のクラウドコンピューティングの計算リソースによって実現される。衣類受注管理装置１は、通信部１０、記憶部２０、及び制御部３０を備える。衣類受注管理装置１は、ユーザＵの通信端末Ｔからみると、通信端末Ｔの要求に対して応答するウェブサーバ又はそれと同等のサーバとして機能する。
【００３０】
図２は、実施の形態１に係る衣類受注管理装置１と通信端末Ｔとの間で行われる処理を実現するための機能構成を示しており、例えば無縫製編み機制御装置２との間で行われる処理を実現するための構成等、その他の構成は省略している。図２において、様々な処理を行う機能ブロックとして記載される各要素は、ハードウェア的には、ＣＰＵ（Central Processing Unit）、メインメモリ、その他のＬＳＩ（Large Scale Integration）で構成することができる。またソフトウェア的には、メインメモリにロードされたプログラムなどによって実現される。したがって、これらの機能ブロックがハードウェアのみ、ソフトウェアのみ、又はそれらの組み合わせによっていろいろな形で実現できることは当業者には理解されるところであり、いずれかに限定されるものではない。
【００３１】
通信部１０は、衣類受注管理装置１がユーザＵの通信端末Ｔと通信するための通信インタフェースである。通信部１０は、例えばＷｉ−Ｆｉ（登録商標）モジュールやＬＡＮ（Local Area Network）モジュール等の既知の通信モジュールによって実現される。
【００３２】
記憶部２０は、衣類受注管理装置１を実現するコンピュータのＢＩＯＳ（Basic Input Output System）等を格納するＲＯＭや衣類受注管理装置１の作業領域となるＲＡＭ（Random Access Memory）、ＯＳ（Operating System）やアプリケーションプログラム、当該アプリケーションプログラムの実行時に参照される種々の情報を格納するＨＤＤ（Hard Disk Drive）やＳＳＤ（Solid State Drive）等の大容量記憶装置である。
【００３３】
制御部３０は、衣類受注管理装置１のＣＰＵやＧＰＵ（Graphics Processing Unit）等のプロセッサであり、記憶部２０に記憶されたプログラムを実行することによって、表示制御部３００、衣類情報取得部３０１、体形情報取得部３０２、評価取得部３０３、及び体形情報修正部３０４として機能する。
【００３４】
以下、図２から図８を適宜参照しながら、実施の形態に係る衣類受注管理装置１の機能構成、及び通信端末Ｔの表示部に表示されるＧＵＩ（Graphical User Interface）について説明する。
【００３５】
表示制御部３００は、ユーザＵの通信端末Ｔに表示させるＧＵＩを制御する。より具体的には、表示制御部３００は、制御部３０の各部の機能を実現するためのＧＵＩを通信部１０を介して通信端末Ｔに提供する。以下、実施の形態に係る衣類受注管理装置１の各部は、表示制御部３００及び通信部１０を介して通信端末Ｔの表示部にＧＵＩを表示させることを前提として、その記載を省略することがある。
【００３６】
衣類情報取得部３０１は、衣類を特定する衣類情報を取得する。具体的には、衣類情報取得部３０１は、通信端末Ｔからの要求に応答して、ユーザＵの通信端末Ｔに対して衣類を選択するためのＧＵＩを提供する。
【００３７】
図３は、実施の形態に係る通信端末Ｔが表示する衣類発注画面の一例を示す図である。図３に示すＧＵＩの例は、ユーザＵが購入する衣類として「カシミアブレンドセーター」を選択した場合を示している。なお、ユーザＵはＧＵＩをスワイプすることにより、他のアイテムを選択することができる。
【００３８】
体形情報取得部３０２は、衣類を着用する着用者の体形情報を取得する。このため、体形情報取得部３０２は、図３に示す衣類発注画面においてユーザＵが衣類の選択を完了することを契機として、ユーザＵの通信端末Ｔに着用者の体形情報を入力するためのＧＵＩを提供する。
【００３９】
図４は、実施の形態に係る通信端末Ｔが表示する体形情報入力画面の一例を示す図である。体形情報入力画面において、ユーザＵは、衣類の着用者の体形に関する情報を入力することができる。
【００４０】
図４に示す例では、ユーザＵは、衣類の着用者の体形情報として、性別が「男性」、身長が「１７３ｃｍ」、体重が「６２ｋｇ」、骨格が「華奢」であることを入力している。この場合、体形情報取得部３０２は、体形情報として着用者の性別、身長、体重、及び骨格に関する情報を取得することになる。
【００４１】
ここで、身長及び体重は、衣類の着用者の体形を決定するための基本的な情報となる。また、一般に男性と女性とは体形が異なるため、性別も着用者の体形を決定するために有用な情報となり得る。また、着用者の「骨格」は着用者の外形推定する有用な情報となる。さらに、着用者の体重において「骨の重さ」が占める割合は大きいため、骨の量を示す「骨格に関する情報」は、着用者の肉付きを推定する際の手掛かりとなる。
【００４２】
体形情報取得部３０２は、着用者の体形情報として、着用者の体格のパターンを示す「体型情報」をさらに取得してもよい。ここで「体格のパターン」とは、着用者の肉付きを類型化した情報であり、例えば「やせ型」、「筋肉質」、及び「肥満型」に分類される情報である。これを実現するために、体形情報取得部３０２は、ユーザＵの通信端末Ｔに着用者の「体型情報」を選択するためのＧＵＩを提供する。
【００４３】
図５は、実施の形態に係る通信端末Ｔが表示する体型情報選択画面の一例を示す図である。図５に示すように、体形情報取得部３０２は、体格のパターンを類型毎に対応するイラストとともに通信端末Ｔに表示させる。店舗５に示す例では、体形情報取得部３０２は、「やせ型」の体格を示すイラストを「やせ型」という文字列とともに通信端末Ｔに表示させている。同様に、体形情報取得部３０２は、「筋肉質」の体格を示すイラストを「筋肉質」という文字列とともに通信端末Ｔに表示させる。ユーザＵは通信端末Ｔの画面をスワイプすることにより、「肥満型」の体格パターンを通信端末Ｔに表示させることもできる。これにより、ユーザＵはイラストを見ながら直感的に体型情報を選択することができる。
【００４４】
実施の形態に係る衣類受注管理装置１は衣類受注製造システムＳの一部であり、ユーザＵが選択した衣類に関してユーザＵのカスタマイズを受け付けることができる。例えばユーザＵが衣類の種類として「カシミアブレンドセーター」を選択した場合、ユーザＵは、選択したセーターの袖丈やネックの形状、セーターの素材等を調整することができる。このため実施の形態に係る衣類受注管理装置１が扱う各衣類には、上述した衣類情報として、衣類のデザイン、素材、及び製造工程に関する変更可能なパラメータが設定されている。
【００４５】
ここで「デザインに関するパラメータ」は、ユーザＵが選択した衣類の外形を示すパラメータである。デザインに関するパラメータは、大きく分けて衣類のサイズを示すパラメータと衣類の形状を示すパラメータとを含む。衣類の形状を表すパラメータは、衣類の各部位の種類（例えば首回りに関する種類であれば、ラウンドネックやヘンリーネック等）、各部位の長さや幅、衣類が編み物である場合には網目の大きさ等を示すパラメータが含まれる。
【００４６】
また、「素材に関するパラメータ」は、衣類の材料を指定するパラメータである。衣類が単一の素材ではなく複数の素材から構成されている場合にはその配合率も素材に関するパラメータに含まれる。「製造工程に関するパラメータ」は、衣類を製造するための設計情報であり、衣類の製造にかかる時間又は製造工程の複雑さを示す指標の少なくとも１つを含んでいる。なお、各衣類とその初期パラメータとを関連付けた初期パラメータデータベース（不図示）は、記憶部２０にあらかじめ格納されている。
【００４７】
図示はしないが、衣類受注管理装置１は、体形情報取得部３０２が取得した体形情報に適した衣類が製造されるように、製造工程に関するパラメータを修正して無縫製編み機制御装置２に送信する。無縫製編み機３は、製造工程に関するパラメータを受信した無縫製編み機制御装置２の制御の下、衣類を製造する。無縫製編み機３が製造した衣類はユーザＵに配送されるか、あるいはユーザＵが受取先に出向いて受け取る等の方法により、ユーザＵの手元に届けられる。
【００４８】
評価取得部３０３は、衣類情報及び体形情報に基づいて無縫製編み機３によって製造された衣類について、その衣類を着用した着用者によってなされた、衣類を着用した際のサイズに関する評価を取得する。以下、ユーザＵからサイズに関する評価を取得するために衣類受注管理装置１が通信端末Ｔに提供するＧＵＩについて説明する。
【００４９】
図６は、実施の形態に係る通信端末Ｔが表示する購入済アイテム選択画面の一例を示す図である。表示制御部３００は、ユーザＵ毎の専用の購入済アイテム選択画面をユーザＵの通信端末Ｔに提供する。購入済アイテム選択画面において、ユーザＵは、過去に衣類受注製造システムＳに発注して郵送された衣類の画像を選択することができる。
【００５０】
図６に示す例では、ユーザＵが発注して郵送された衣類のうちの一つの画像が通信端末Ｔの表示部に表示されている。図６に示す購入済アイテム選択画面の例では、ユーザＵは画面をスワイプすることにより、別の衣類の画像を表示させることもできる。これにより、ユーザＵは購入済の衣類を直感的に選択することができる。
【００５１】
図示はしないが、表示制御部３００は、ユーザＵが過去に衣類受注製造システムＳに対して発注して郵送された衣類のサムネイル画像を、ユーザＵの通信端末Ｔに一覧表示させることもできる。ユーザＵが購入済の衣類の数が多い場合には、ユーザＵはサムネイル画像の一覧表示の中から衣類を選択できる。このため、衣類受注管理装置１はユーザＵが衣類を選択する手間を省くことができる。
【００５２】
図６に示す購入済アイテム選択画面においてユーザＵが衣類を選択して「フィードバックを送信」アイコンをタップすると、表示制御部３００は通信端末Ｔに表示画面を評価入力画面に遷移させる。
【００５３】
評価入力画面において、ユーザＵは、購入済の衣類のサイズに関する評価を実施することができる。評価取得部３０３は、着用者の体の部位と、その部位に対応する衣類の部位との大小関係に関する着用者の評価を取得する。具体的には、例えば購入したセーターのサイズに関する評価として、評価取得部３０３は、「袖の長さ」、「丈の長さ」、「首回り」、「肩幅」、「腰回り」、及び「袖口」の評価を実施する。
【００５４】
図７（ａ）−（ｂ）は、実施の形態に係る通信端末Ｔが表示する評価入力画面の一例を示す図である。具体的には、図７（ａ）は、袖の長さの長短に関する定性的な評価の実施画面例を示しており、ユーザＵが袖の長さについて「長い」という評価を選択している場合の例を示している。また、図７（ｂ）は、具体的な長さに関する定量的な評価の実施画面例を示している。定量的な評価の実施画面において、ユーザＵは、袖口の長さの修正量を具体的に入力することができる。
【００５５】
図７（ｂ）において、ユーザＵが「ＯＫ」アイコンをタップすると、評価取得部３０３は通信端末Ｔに表示させる画面を丈の長さの長短に関する評価画面（不図示）に遷移させる。このように、評価取得部３０３は、着用者の各部位に対応する評価画面を順次通信端末Ｔに表示させる。これにより、ユーザＵは、通信端末Ｔに順次表示される評価画面にしたがって評価を実施することにより、衣服のサイズに関する評価を完了させることができる。
【００５６】
なお、図示はしないが、評価取得部３０３は、衣類の発注時にユーザＵが通信端末Ｔの表示画面において確認したモデルが着用している画像と同じようなフィット感であったかを取得してもよい。ここで「フィット感」とは、衣類を着用したときにタイトさやルーズさの感覚を意味する。表示画面におけるモデルのフィット感と、着用者が実際に衣類を着用したときのフィット感との差のフィードバックを得ることにより、評価取得部３０３は、着用者からより多面的な評価を得ることができる。
【００５７】
図８は、実施の形態に係る通信端末Ｔが表示する評価完了画面の一例を示す図である。ユーザＵがサイズに関するすべての評価を完了すると、表示制御部３００は、評価完了画面を通信端末Ｔに表示させる。表示制御部３００は、評価完了画面において、ユーザＵがサイズに関する評価を実施した衣類の画像を表示させる。
【００５８】
図２の説明に戻る。体形情報修正部３０４は、評価取得部３０３が取得した衣類のサイズに関する評価に基づいて、その衣類の着用者の体形情報を修正する。具体的には、体形情報修正部３０４は、ユーザＵが衣類のサイズが大きいと評価した場合、衣類の着用者の体形情報を元の値よりも小さくなるように修正する。
【００５９】
反対に、ユーザＵが衣類のサイズが小さいと評価した場合、衣類の着用者の体形情報を元の値よりも大きくなるように修正する。体形情報修正部３０４は、評価取得部３０３が取得した各部位に対応する評価結果を体形情報に反映させることにより、着用者の体形情報の精度を向上することができる。
【００６０】
ここで、図８に示す評価完了画面は、ユーザＵが袖の長さが「長い」こと、すなわち袖の長さを短くすべきと評価した場合の評価完了画面例を示している。このため、図６に示す購入済アイテム選択画面に表示されている衣類の袖丈と比較すると、図８に示す評価完了画面における衣類の袖丈は短くなっている。
【００６１】
このように、表示制御部３００は、体形情報に基づいて体形が変更される人物モデルを通信端末Ｔの表示部に表示させる。表示制御部３００は、評価取得部３０３が評価を取得した後は、体形情報修正部３０４により修正された体形情報に基づく人物モデルを表示部に表示させる。これにより、ユーザＵは実施したサイズに関する評価の結果を直感的に把握することができる。
【００６２】
図９は、実施の形態に係る衣類受注管理装置１が実行する情報処理の流れを説明するためのフローチャートである。本フローチャートにおける処理は、例えば衣類受注管理装置１が起動したときに開始する。
【００６３】
衣類情報取得部３０１は、ユーザＵが注文する衣類を特定する衣類情報を取得する（Ｓ２）。体形情報取得部３０２は、衣類を着用する着用者の体形情報を取得する（Ｓ４）。無縫製編み機３は、衣類情報及び体形情報に基づいて衣類を製造し、製造された衣類はユーザＵに配達される（Ｓ６）。
【００６４】
評価取得部３０３は、ユーザＵに配達された衣類を着用した着用者によってなされた、その衣類を着用した際のサイズに関する評価を取得する（Ｓ８）。体形情報修正部３０４は、着用者によってなされた評価に基づいて、着用者の体形情報を修正する（Ｓ１０）。体形情報修正部３０４が着用者の体形情報を修正すると、本フローチャートにおける処理は終了する。
【００６５】
＜衣類受注管理装置１が奏する効果＞
以上説明したように、実施の形態に係る衣類受注管理装置１によれば、衣類の発注者が製造者に伝達する体形情報の精度を向上させることができる。
特に、実施の形態に係る衣類受注管理装置１は、実際に衣類を着用した着用者による評価を取得して体形情報を修正するため、修正の精度を著しく向上することができる。また、着用者のサイズに関する好みも体形情報に反映することができる。
【００６６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。以下、そのような変形例を説明する。
【００６７】
＜第１の変形例＞
上記では、ユーザＵが着用者の体形情報を文字情報として入力する場合について説明した。これに替えて、あるいはこれに加えて、表示制御部３００は、ユーザＵがイラストを選択することによって体形情報を入力できるようにしてもよい。
【００６８】
具体的には、表示制御部３００は、それぞれに異なる体形情報が設定された複数の異なる人物モデルを、ユーザＵが選択可能な態様で通信端末Ｔの表示部に表示させる。体形情報取得部３０２は、ユーザＵが選択した人物モデルに設定された体形情報を、着用者の体形情報として取得する。これにより、衣類受注管理装置１は、ユーザＵが体形情報を文字入力する手間を省略することができる。
【００６９】
＜第２の変形例＞
上記では、ユーザＵが衣類受注製造システムＳに初めて衣類を発注する際には、着用者の体形情報の精度が必ずしも保証されていない。この意味で、ユーザＵが初めて発注する際に衣類受注製造システムＳに伝達する体形情報は、その後の発注のためのたたき台ともいえる。このため、衣類受注製造システムＳに初めて衣類を発注する際には、サイズが合わない衣類が製造される恐れから、ユーザＵは発注に二の足を踏む恐れもある。そこで、衣類受注製造システムＳを管理する衣類の製造者は、初めて衣類を発注するユーザＵには、衣類の価格を下げたり、２回目以降の発注に適用できる割引トークン等を発行したりしてもよい。割引トークンは、電子的な態様で実現されてもよいし、紙媒体に印刷してユーザＵに配布してもよい。
【００７０】
これを実現するために、衣類受注管理装置１はユーザＵの情報を管理するユーザ情報管理部（不図示）を備えてもよい。ユーザ情報管理部は、各ユーザＵに一意に割り当てられてユーザ識別子と、ユーザＵが過去に発注した衣類を特定するための衣類情報と、体形情報とを履歴管理データベース（不図示）に蓄積して管理する。この履歴管理データベースを参照することにより、ユーザ情報管理部は、ユーザＵが初めて衣類を発注したか否かを特定できる。ユーザ情報管理部は、初めて衣類を発注したユーザＵには、割引料金で衣類を提供する。
【００７１】
履歴管理データベースは、ユーザＵのユーザ識別子に関連付けて電子的な割引トークンの情報も格納する。ユーザ管理部は、割引トークンが関連付けられているユーザＵが衣類を発注する際には、通信端末Ｔの表示部に衣類発注画面に割引トークンがあることを選択可能な態様で表示させてもよい。これにより、ユーザＵは衣類を割引価格で購入することができる。
【００７２】
なお、上述した衣類の値引きないし割引トークンの発行は、ユーザＵが初めて衣類を発注する際に行うのではなく、着用者が当該衣類を着用した際のサイズに関する評価に基づき行うこととしてもよい。例えば、サイズに関する評価が所定の値以下の場合や、当該衣類により想定される体形情報と着用者の体形情報との乖離が所定の値以上の場合に、上記の値引きないし割引トークンを発行することとしてもよい。さらに、上記の評価又は乖離の程度に応じて、値引き率ないし割引率を変更することとしてもよい。
【００７３】
このように、衣類受注製造システムＳは、初めて衣類を発注する際に体形情報の精度が必ずしも保証されない状態で衣類を発注することに対するユーザＵの抵抗感を低減することができる。
【００７４】
なお、衣類受注製造システムＳの管理者は、ユーザＵによる初めての製品を無償で引き取ることを前提に割引トークンを発行するようにしてもよい。衣類受注製造システムＳの管理者は引き取った衣類を原料化することにより、別の衣類の製造に再利用できる。ユーザＵにとっては、初回の商品のサイズが合わなかったとしても体形情報の精度を向上できるので以後の注文する衣類のサイズを適合させることができる。
【００７５】
＜第３の変形例＞
上記では、衣類受注製造システムＳにおいて衣類を製造する装置が無縫製編み機３である場合について主に説明した。しかしながら、衣類受注製造システムＳが衣類を製造させる装置は無縫製編み機３に限られない。各パーツを生地から切り取り縫製する工程（カット＆ソー）を含むオートメーション工場等において衣類を製造する場合であっても、実施の形態に係る衣類受注管理装置１が通信端末Ｔに提供するＧＵＩを適用することができる。
【符号の説明】
【００７６】
１・・・衣類受注管理装置
２・・・無縫製編み機制御装置
３・・・無縫製編み機
４・・・プラント
５・・・店舗
１０・・・通信部
２０・・・記憶部
３０・・・制御部
３００・・・表示制御部
３０１・・・衣類情報取得部
３０２・・・体形情報取得部
３０３・・・評価取得部
３０４・・・体形情報修正部
Ｓ・・・衣類受注製造システム
Ｔ・・・通信端末
【図１】
2018142221.tif 000003
【図２】
2018142221.tif 000004
【図３】
2018142221.tif 000005
【図４】
2018142221.tif 000006
【図５】
2018142221.tif 000007
【図６】
2018142221.tif 000008
【図７】
2018142221.tif 000009
【図８】
2018142221.tif 000010
【図９】
2018142221.tif 000011